(57)【要約】【課題】例えば前記高圧計器箱のように開閉蓋に封印ネジと共に該封印ネジとほぼ同じ形状のダミーネジといった突状部材が固着されている場合、封印具と共に封印ネジが故意に回転されないように該封印ネジと共にその突状部材にも同時に冠着させるようにして、封印作業の簡略化を図り、作業性を向上させるようにした封印具を提供する。【解決手段】閉頭筒部４の一側から張出胴部５を突設し、閉頭筒部４の他側に封印ネジＰの頭部ｐ１に貫設した封印孔ｐ２に挿通する封印ピン２を設け、また、前記張出胴部５の先端に副閉頭筒部６を設けて封印具Ａを成形し、電気機器の開閉蓋Ｆをネジ止めした封印ネジＰの頭部ｐ１に閉頭筒部４を冠着すると同時に該封印ネジＰに近接して開閉蓋Ｆに固着される突状部材Ｄに副閉頭筒部６を冠着した状態で、封印ピン２を打ち込み、該封印ピン２を封印ネジＰの頭部ｐ１に貫設された封印孔ｐ２に挿通するようにした。【選択図】図８
2007040828.tif 000002
【特許請求の範囲】
【請求項１】
電気機器の開閉蓋をネジ止めした封印ネジの頭部に冠着する閉頭筒部と、前記閉頭筒部に設けられ前記封印ネジの頭部に貫設した封印孔に挿通する封印ピンと、前記開閉蓋に固着した突状部材に冠着する副閉頭筒部と、を備えてなることを特徴とする封印具。
【発明の詳細な説明】
【技術分野】
【０００１】
本発明は、電気機器にその内部の開放を阻止すべく装着された開閉蓋を封印する封印具に関するものである。
【背景技術】
【０００２】
従来、例えば分電盤といった電気機器にあっては、その内部の配線を覆う開閉蓋にネジ締めされる封印ネジに近接させて封印孔を開設した突状部材が設けられている。そして、前記封印ネジを開閉蓋面に沿って故意に回転し取り外されないようにするため該封印ネジの頭部に貫設された封印孔および突状部材の封印孔に封引用ワイヤをとも通しし、この状態で封引用ワイヤの両端部を金属片で結合して開閉蓋を封印するようにしている（例えば、特許文献１参照。）。
【特許文献１】実開昭６２−３３６０８号公報（第５−６頁、図４）
【発明の開示】
【発明が解決しようとする課題】
【０００３】
このように、前記特許文献１では、開閉蓋の封印に封印用ワイヤを使用している。すなわち、該封印用ワイヤを封印ネジの封印孔と突状部材の封印孔とにとも通しし、更に、該封印用ワイヤの両端部を金属片で結合するといった面倒な作業を必要とするので、手間が多く作業性が悪いといった改良すべき点があり、これに対する解決策が早急に望まれている。
【０００４】
このことは高圧計器箱といった電気機器にあっても同様である。該高圧計器箱には、その開閉蓋に封印ネジと近接位置させて該封印ネジとほぼ同じ形状のダミーネジといった突状部材を固着しており、前記封印ネジの封印孔とダミーネジの封印孔とに封引用ワイヤをとも通しし、封印用ワイヤの両端部を結合して封印するようにしている。
【０００５】
そこで、本発明は上記課題に鑑みてなされたもので、例えば前記高圧計器箱のように開閉蓋に封印ネジと共に該封印ネジとほぼ同じ形状のダミーネジといった突状部材が固着されている場合、封印具と共に封印ネジが故意に回転されないように前記封印ネジと共にその突状部材にも同時に冠着させるようにして、封印作業の簡略化を図り、作業性を向上させるようにした封印具を提供することを目的とするものである。
【課題を解決するための手段】
【０００６】
かかる目的を達成するため本発明に係る封印具は、電気機器の開閉蓋をネジ止めした封印ネジの頭部に冠着する閉頭筒部と、閉頭筒部に設けられ前記封印ネジの頭部に貫設した封印孔に挿通する封印ピンと、前記開閉蓋に固着した突状部材に冠着する副閉頭筒部と、を備えた構成からなる。
【０００７】
具体的には、本発明に係る封印具は、電気機器の開閉蓋をネジ止めした封印ネジの頭部に冠着する閉頭筒部と、閉頭筒部の一側から該閉頭筒部の中心軸線に対し直交する方向へ突出する張出胴部と、閉頭筒部の他側から前記封印ネジの頭部に貫設した封印孔に挿通すると共に張出胴部側へ圧入し得る封印ピンと、張出胴部の先端に設けられ前記開閉蓋に固着した突状部材に冠着する副閉頭筒部と、を備えた構成からなる。
【０００８】
前記副閉頭筒部が冠着される突状部材は、前記ダミーネジに限定されるものではなく、副閉頭筒部が冠着できて封印具が開閉蓋面に沿って回転しないようなものであれば、他の構造のものであっても良い。
【発明の効果】
【０００９】
本発明に係る封印具は、電気機器の開閉蓋をネジ止めした封印ネジの頭部に冠着する閉頭筒部と共に前記開閉蓋に固着した突状部材に冠着する副閉頭筒部を設けるようにしたので、封印具と共に封印ネジが故意に回転されないように封印ネジと突状部材に閉頭筒部と副閉頭筒部をそれぞれ同時に冠着でき、この状態で封印ピンを圧入するのみで開閉蓋が封印できることになる。よって、封印のための作業が極めて簡単となり、作業性に優れるという効果がある。
【発明を実施するための最良の形態】
【００１０】
以下、本発明に係る封印具の実施の形態を図面に基き詳しく説明する。図１は本発明に係る封印具の正面図、図２は同平面図、図３は同底面図、図４は図２のＸ−Ｘ線断面図、図５は図４のＹ−Ｙ線断面図である。本発明に係る封印具Ａが使用されるのは、例えば、一般工場で用いられる高圧計器箱、一般家庭の積算電力量計、配電箱等の電気機器であって、しかも、後記する封印ネジＰと共に該封印ネジＰに近接させて開閉蓋にダミーネジＤといった突状部材が突設されている場合に効果がある。そこで、その一例として本発明に係る封印具が高圧計器箱に適用される場合について説明する。
【００１１】
封印具Ａは、アクリル樹脂等の合成樹脂製の封印本体１と該封印本体１に圧入される金属製の封印ピン２とからなる。封印本体１は、封印ネジＰの頭部ｐ１とほぼ同じ程度の深さ・内径を有し、下面が開口３する閉頭筒部４を有する。また、閉頭筒部４の一側外側に該閉頭筒部４の中心軸線に対し直交する方向へ突出する張出胴部５が一体に設けられる。更に、該張出胴部５の先端に下面が開口７する副閉頭筒部６が一体に設けられる。この副閉頭筒部６は後記する突状部材としてのダミーネジＤに冠着するものであり、張出胴部５に沿って平面長円状に成形されている。閉頭筒部４を封印ネジＰに冠着し、副閉頭筒部６をダミーネジＤに冠着する関係上、閉頭筒部４と副閉頭筒部６との間隔は封印ネジＰとダミーネジＤとの間隔に合致させてある。
【００１２】
閉頭筒部４の外周面に張出胴部５と対向位置して中実の突起部８が突設され、該突起部８に閉頭筒部４の中心軸に対し直交すると共にその中空部４ａと連通し封印ネジＰを挿通する通孔９が貫設される。張出胴部５側には一端のみ開口し該開口が前記中空部４ａに臨む押込孔１０が設けられている。この押込孔１０は、封印ピン２の先端が圧入する箇所であり、前記通孔９と同一軸線上に位置する。また、中空部４ａの内周面であって閉頭筒部４の中心線を含みかつ張出胴部５に対し直交する面に沿って断面Ｖ型の凹溝を設けて薄肉部１１が成形される。閉頭筒部４の下端面にも薄肉部１１と連なるＶ型の切欠１２が設けられる。この薄肉部１１は、不正行為を働くべく封印具Ａを外そうとした場合、前記薄肉部１１から容易に破断されるも修復不可能となり、これによりその不正行為が迅速に発見できるようにするためである。
【００１３】
また、閉頭筒部４における中空部４ａの内周面の両上隅角部に、それぞれ薄肉部１１に沿って封印ネジＰの頭部ｐ１上面の溝に嵌まり込む受板部１３，１３が設けられる。更に、中空部４ａの内周面であって張出胴部５側と突起部８側にそれぞれ対向位置して二対の保持用リブ１４，１４が設けられる。通常、封印ネジＰは種類によりその外径が多少異なる。そこで、外径が小さい場合は各保持用リブ１４の先端部により封印ネジＰの外周面を支持し、外径が大きい場合は各保持用リブ１４が曲って対応できるようになっている。このため、各保持用リブ１４の基端部が薄肉に成形される。
【００１４】
張出胴部５は内部が中空状に成形されると共に下端面が開口され、中空状の内部に張出胴部５の長手方向に対して直交する補強リブ１５が設けられている。副閉頭筒部６は、その中空部６ａ内周面であって該副閉頭筒部６の中心線を含みかつ張出胴部５に対し直交する面に沿って両側のみに、断面Ｖ型の凹溝を設けて薄肉部１１が成形される。また、副閉頭筒部４の下端面にも薄肉部１１と連なるＶ型の切欠１２が設けられる。封印ピン２の長さは、該封印ピン２を通孔９及び押込孔１０に打ち込んで圧入したとき、その基端部が通孔９から外側へ突出しない長さに設定される。
【００１５】
本発明に係る封印具Ａは上記構成からなり、次にその使用方法について説明する。図６、図７は封印具の取付手順を示す斜視図を示すものであり、高圧計器箱Ｋの箱本体ｋの前面にその内部の開放を阻止すべく開閉蓋Ｆが装着されている。該開閉蓋Ｆはその四隅部で封印ネジＰによりネジ止めされる。更に詳しく説明すると、図８に示すように高圧計器箱Ｋの箱本体ｋ内部にネジ孔Ｎが開設されたネジ受止具Ｕが固着され、開閉蓋Ｆには、ネジ孔Ｎに対向位置してネジ挿通孔Ｓが開設される。封印ネジＰは、頭部ｐ１にその中心線に対して直交する向きに封印孔ｐ２が貫設される。しかも、該封印孔ｐ２は、頭部ｐ１上面の溝ｐ３に対しても投影して直交するようになっている。また、ネジ止めされる封印ネジＰに近接させ所定の間隔離して開閉蓋Ｆの表面に該封印ネジＰと同じ形状のダミーネジＤが固着されている。このダミーネジＤは、封印具Ａを冠着することにより該封印具Ａと共に封印ネジＰが故意に回転されないようにするためのものである。
【００１６】
そこで、通孔９に封印ピン２が少し差し込まれ保持された封印具Ａを手で持ち、その閉頭筒部４を封印ネジＰの頭部ｐ１に冠着すると同時に前記ダミーネジＤに副閉頭筒部６を冠着する。この際、封印ネジＰの頭部ｐ１上面の溝ｐ３に中空部４ａ内の受板部１３が嵌り込むようにする。これにより、封印ネジＰの封印孔ｐ２と封印具Ａの封印ピン２が挿通された通孔９とがほぼ合致する。よって、封印ピン２が間違うことなく打ち込み易い。この状態で、図８に示すように封印ピン２を打ち込み頭部ｐ１の封印孔ｐ２に挿通させ、更に、該封印ピン２を押込孔１０に圧入する。これにより封印具Ａが取り付けられる。この状態では、前記封印ネジＰと共にダミーネジＤにも同時に封印具Ａが冠着され、結果２点で固定されるので封印具Ａは回転し得ない。
【００１７】
このように、封印具Ａに副閉頭筒部６を設けるようにしたので、封印ネジＰに閉頭筒部４を冠着すると同時に副閉頭筒部６をダミーネジＤに冠着し、この状態で封印ピン２を圧入するのみで開閉蓋Ｆが封印できることになる。よって、封印のための作業が極めて簡単となり、作業性に優れる。また、封印具Ａは２点で止められているので、不正をすべく封印具Ａを回転させて故意に緩め封印ネジＰを外そうとすることはできない。しかも、封印具Ａに封印ピン２が圧入されていることから、封印具Ａをそのまま取り外すこともできないことになる。
【００１８】
なお、封印具Ａは、不正行為による衝撃を受けると封印具Ａの各所に設けた薄肉部１１といったウィークポイントから容易に破断され修復不可能となるので、これにより不正行為を迅速に発見できる。また、計器の検査時にも封印具Ａは容易に破断して取除くことができる。
【図面の簡単な説明】
【００１９】
【図１】本発明に係る封印具の正面図。
【図２】同平面図。
【図３】同底面図。
【図４】図２のＸ−Ｘ線断面図。
【図５】図４のＹ−Ｙ線断面図。
【図６】封印具の取付手順を示す斜視図。
【図７】封印具の取付手順を示す斜視図。
【図８】封印具の取付状態を示す断面図。
【符号の説明】
【００２０】
２                封印ピン
４                閉頭筒部
５                張出胴部
６                副閉頭筒部
Ａ                封印具
Ｄ                突状部材（ダミーネジ）
Ｆ                開閉蓋
Ｋ                電気機器（高圧計器箱）
Ｐ                封印ネジ
ｐ１              頭部
ｐ２              封印孔
【図１】
2007040828.tif 000003
【図２】
2007040828.tif 000004
【図３】
2007040828.tif 000005
【図４】
2007040828.tif 000006
【図５】
2007040828.tif 000007
【図６】
2007040828.tif 000008
【図７】
2007040828.tif 000009
【図８】
2007040828.tif 000010